(57)【要約】【課題】構造の簡単なヒンジを、扉のヒンジ取付部を補強しうるように、容易に取付ける。【解決手段】扉の前面板３の周縁に、後方に向かって延出する後向片８と、この後向片８の後端より内向きに延出する内向片９とを、一体的に折曲形成し、前面板３と後向片８と内向片９とにより形成される空間部Ｓの上部の隅部に、上下方向を向く基材５６と、その上端面に突設された上方を向くヒンジピン５７とを有するヒンジ５５を、ヒンジピン５７が上側の後向片８より突出するようにして、嵌合し、かつ基材５６と内向片９とを、ねじ６４により固定する。【選択図】  図１０
2009263927.tif 000002
【特許請求の範囲】
【請求項１】
扉における前面板の周縁に、後方に向かって延出する後向片と、この後向片の後端より内向きに延出する内向片とを、一体的に折曲形成し、前記前面板と後向片と内向片とにより形成される空間部の隅部に、この隅部の空間部内に嵌合しうる基材と、この基材の上下または左右の端面に突設されたヒンジピンとを有するヒンジを、前記ヒンジピンが前記隅部の後向片に設けられた挿通孔を貫通して外方に突出するようにして、嵌合し、かつ前記基材と内向片とを、ねじにより固定したことを特徴とする扉へのヒンジ取付構造。
【請求項２】
方形とした扉の上部または下部の隅部の空間部内に基材を嵌合し、この基材を、側部の上下方向を向く内向片と、上部または下部の左右方向を向く内向片とにねじにより固定してなる請求項１記載の扉へのヒンジ取付構造。
【請求項３】
基材を、後面視倒立Ｌ字状またはＬ字状をなす形状としてなる請求項２記載の扉へのヒンジ取付構造。
【請求項４】
ヒンジを、ねじを外すことにより、隅部の空間部内において、上下または左右方向に平行移動しうるようにしてなる請求項１〜３のいずれかに記載の扉へのヒンジ取付構造。
【請求項５】
扉の前面板における内向片により囲まれた後面に、後面板を、ヒンジにおける基材後部の内側端が、後面板の後面よりも後方において内方に露出するように装着してなる請求項１〜４のいずれかに記載の扉へのヒンジ取付構造。
【請求項６】
基材における内側端の露出部に、外側方に凹入する切欠溝を設けてなる請求項５記載の扉へのヒンジ取付構造。
【請求項７】
扉の上部の隅部の空間部にヒンジを設けたものにおいて、ヒンジの収容部に、ヒンジピンが扉を取付ける被取付体の枢支孔より離脱する位置まで下方に移動したとき、基材の下端が当接するストッパを設けてなる請求項１〜６のいずれかに記載の扉へのヒンジ取付構造。
【請求項８】
内向片の内縁に、前方に向かって延出する前向片を連設し、側部側の前向片の上部を、ヒンジが内側方より挿入可能な大きさに切り欠くことにより、この切欠部における前向片の上端を、基材の下端が当接するストッパとしてなる請求項７記載の扉へのヒンジ取付構造。
【請求項９】
扉における上下いずれか一方の隅部にヒンジを設け、他方の隅部における左右方向を向く後向片の側端部に、枢支孔を穿設してなる請求項１〜８のいずれかに記載の扉へのヒンジ取付構造。
【請求項１０】
他方の隅部の空間部内に補強部材を嵌合し、この補強部材を内向片に固着してなる請求項９記載の扉へのヒンジ取付構造。
【発明の詳細な説明】
【技術分野】
【０００１】
本発明は、扉の隅部に、ヒンジを取付ける取付構造に関する。
【背景技術】
【０００２】
扉の隅部に、ピン式のヒンジを取付けた構造としては、例えば特許文献１及び２に記載されているものがある。
【特許文献１】特開平１０−９６３６３号公報
【特許文献２】特開２００１−３２６１２号公報
【発明の開示】
【発明が解決しようとする課題】
【０００３】
上記特許文献１における図３に記載されているものにおいては、筐体の側端部前面に、上下方向を向く大径の第１ピンと、その上端より上向きに突設した小径の第２ピンとを有するヒンジを固着し、第１ピンと第２ピンとに、それぞれ、下部の扉と上部の扉における後方を向く折曲片の対向面の側端部に穿設した軸孔を挿通し、上下の扉を一つのヒンジにより回動可能に枢支しているのみであるため、扉の隅部におけるヒンジへの取付部が、片持ちの偏荷重により変形し、扉の開閉が不円滑となる恐れがある。
また、扉を着脱する際には、筐体にねじ止めしたヒンジを、その都度取外す必要があるため、その作業が面倒である。
【０００４】
さらに、特許文献１の図１１に、従来技術として開示されているヒンジの取付構造においては、扉の隅部にヒンジ補強片を固着してあるので、その部分が変形する恐れは小さい。
しかし、別部材のヒンジ補強片を製作したり、それをスポット溶接等により固着したりしなければならないので、コスト高となり、かつ溶接痕が形成されて、見栄えも悪くなることがある。
【０００５】
特許文献２に記載されているものにおいては、ヒンジピンが、複雑な形状のブラケットに取付けられ、かつこのブラケットを、扉に固着しなければならないので、作業が面倒であるとともに、コスト高となる。
また、下側のヒンジピンは、単に扉の下端面に固着されているのみであるので、扉の隅部の補強作用は小さい。
【０００６】
本発明は、上記問題点に鑑みてなされたもので、構造の簡単なヒンジを、扉のヒンジ取付部を補強しうるように、容易に、かつ扉の着脱作業を簡単に行いうるように取付けることができるとともに、扉を円滑に開閉しうるようにした、扉へのヒンジ取付構造を提供することを目的としている。
【課題を解決するための手段】
【０００７】
本発明によると、上記課題は、次のようにして解決される。
（１)扉における前面板の周縁に、後方に向かって延出する後向片と、この後向片の後端より内向きに延出する内向片とを、一体的に折曲形成し、前記前面板と後向片と内向片とにより形成される空間部の隅部に、この隅部の空間部内に嵌合しうる基材と、この基材の上下または左右の端面に突設されたヒンジピンとを有するヒンジを、前記ヒンジピンが前記隅部の後向片を貫通して外方に突出するようにして、嵌合し、かつ前記基材と内向片とを、ねじにより固定する。
【０００８】
このような構成とすると、基材の上下または左右の端面に、隅部の後向片を貫通して外方に突出するヒンジピンを突設しただけの構造の簡単なヒンジを、扉における前面板と後向片と内向片とにより形成される空間部の隅部に嵌合して、基材と内向片とをねじにより固定することにより、扉のヒンジ取付部がヒンジ自体により補強される。これにより、扉のヒンジ取付部が変形するのが防止され、扉を円滑に開閉することができる。
また、ヒンジは、溶接等によることなく、ねじにより固定されているので、扉に溶接痕等が形成されることがない。
【０００９】
（２）上記(１)項において、方形とした扉の上部または下部の隅部の空間部内に基材を嵌合し、この基材を、側部の上下方向を向く内向片と、上部または下部の左右方向を向く内向片とにねじにより固定する。
【００１０】
このような構成とすると、ヒンジの基材が、側部の上下方向を向く内向片と、上部または下部の左右方向を向く内向片とに固定されているので、扉の隅部の固定領域が増大し、その部分がより強固に補強される。特に、上下方向を向く内向片と左右方向を向く内向片とが、隅部において分離している際には、それらが基材により互いに結合されるので、隅部における内向片の強度が向上する。
【００１１】
(３）上記(２)項において、基材を、後面視倒立Ｌ字状またはＬ字状をなす形状とする。
【００１２】
このような構成とすると、基材を、側部の上下方向を向く空間部、及び上部または下部の左右方向を向く空間部より突出しない最小限の大きさとすることができるので、体裁がよくなる。
【００１３】
（４）上記(１)〜(３)項のいずれかにおいて、ヒンジを、ねじを外すことにより、隅部の空間部内において、上下または左右方向に平行移動しうるようにする。
【００１４】
このような構成とすると、ねじを取外して、ヒンジを空間部内において上下または左右方向に平行移動させ、内向片より突出させたヒンジピンを空間部内に引き込むことにより、扉を被取付体より簡単に取外したり、取付けたりすることができる。
【００１５】
（５）上記(１)〜(４)項のいずれかにおいて、扉の前面板における内向片により囲まれた後面に、後面板を、ヒンジにおける基材後部の内側端が、後面板の後面よりも後方において内方に露出するように装着する。
【００１６】
このような構成とすると、ヒンジの基材の内側面の殆どが、後面板により覆われるので、扉を開いた際に、ヒンジが大きく露呈することがなく、体裁がよくなる。
また、基材後部の内側端が、後面板の後面よりも後方において内方に露出しているので、扉を取外す際等に、後面板を装着したまま、ヒンジを上下に移動させることができ、作業性がよくなる。
【００１７】
（６）上記(５)項において、基材における内側端の露出部に、外側方に凹入する切欠溝を設ける。
【００１８】
このような構成とすると、切欠溝に内側方より工具を差し込んで、ヒンジを容易に上下に移動させることができる。
【００１９】
（７）上記(１)〜(６)項のいずれかにおいて、扉の上部の隅部の空間部にヒンジを設けたものにおいて、ヒンジの収容部に、ヒンジピンが扉を取付ける被取付体の枢支孔より離脱する位置まで下方に移動したとき、基材の下端が当接するストッパを設ける。
【００２０】
このような構成とすると、ねじを外した状態でも、ヒンジが下方に落下することがないので、ヒンジの取付作業や扉の着脱作業を容易に行うことができる。
【００２１】
（８）上記(７)項において、内向片の内縁に、前方に向かって延出する前向片を連設し、側部側の前向片の上部を、ヒンジが内側方より挿入可能な大きさに切り欠くことにより、この切欠部における前向片の上端を、基材の下端が当接するストッパとする。
【００２２】
このような構成とすると、別部材としてのストッパを取付ける必要がないので、部品点数や取付工数が削減される。
【００２３】
（９）上記(１)〜(８)項のいずれかにおいて、扉における上下いずれか一方の隅部にヒンジを設け、他方の隅部における左右方向を向く後向片の側端部に、枢支孔を穿設する。
【００２４】
このような構成とすると、複数の扉を上下に隣接して被取付体に装着する際において、各扉のヒンジピンを、互いに隣接する上位または下位の扉の枢支孔に挿入するのみで、上下複数の扉を互いに回動可能に枢支することができる。
また、上下に隣接する扉のヒンジを、ねじを取外して上下方向に移動するだけで、上下の扉の任意のものを１枚単位で取り外すことができる
【００２５】
（１０）上記(９)項において、他方の隅部の空間部内に補強部材を嵌合し、この補強部材を内向片に固着する。
【００２６】
このような構成とすると、ヒンジが取り付けられていない扉の隅部も、補強部材により補強されるので、扉の上下の枢着部が変形しにくくなり、扉をより円滑に開閉することができる。
【発明の効果】
【００２７】
本発明によれば、扉のヒンジ取付部が、ヒンジ自体により補強されることにより、扉のヒンジ取付部が変形するのが防止され、扉を円滑に開閉することができる。
【発明を実施するための最良の形態】
【００２８】
以下、本発明の実施形態を、図面に基づいて説明する。
図１は、本発明の一実施形態を備えるシューズロッカーの正面図、図２は、同じく一部の拡大正面図で、縦横に区画された多数の収納室１の前面には、窓付きの扉２が、右側端部のヒンジ(詳細は後述する)を中心として前方に開閉しうるように取付けられている。
【００２９】
図３の拡大横断平面図に示すように、各扉２は、化粧鋼板よりなる前面板３と、その後面に装着された金属板よりなる後面板４とを備え、前面板３の左側部には、上下方向を向く長方形の取付孔５が設けられている。この取付孔５の左右の縁部の後面には、対向する鉤形フランジ６、６が突設されている。
【００３０】
扉２の左側端部の後面には、ゴム等の緩衝材７が取付けられている。
前面板３の周縁には、後向片８と、その後端より内方を向く内向片９と、この内向片９の内端に連設された、後向片８よりも短寸の前向片１０とが折曲形成されている。
【００３１】
前面板３における上記取付孔５には、縦長の方形をなす合成樹脂製の枠部材１１が取付けられている。
枠部材１１は、左右の側片１２、１３、上片１４、底片１５、及び後片１６により、前面が開口する凹入部１７が形成された縦長箱状の把手本体１８と、左方の側片１２の外側面のほぼ全高に亘って突設された外向片１９とを備えている。
【００３２】
左方の側片１２の前端部には、内向折曲部１２aが形成され、この内向折曲部１２aの後側は、外側方に凹入する上下方向に長い手掛け部２０となっている。内向折曲部１２aの内端、上片１４と底片１５、及び右方の側片１３の前端には、外向きの枠状縁片２１が、枠状をなすようにして形成されている。内向折曲部１２aと、その部分における枠状縁片２１との対向面間には、前面板３の板厚よりも若干大寸の外側方に開口する係合溝２２が形成されている。
【００３３】
把手本体１８の右方の側片１３は、前方に向かって外方を向くように傾斜させられている。側片１３の外側面のやや後部には、前方を向く上下２個の弾性係合片２３、２３が、側片１３よりやや離間させて、かつ前端が枠状縁片２１の後面と近接して対向するようにして連設されている。枠状縁片２１と各弾性係合片２３の前端との間に形成された隙間は、前面板３の板厚とほぼ等しい係合溝２４となっている。
上片１４と底片１５には、多数の換気孔２５が穿設されている。
【００３４】
後片１６の左右の側端部を除くほぼ全面には、上下方向に長い長方形の窓孔２６が穿設され、この窓孔２６に、後片１６と等しい厚さのアクリル等よりなる透明板２７を嵌め込むことにより、収納室１内を前方より見通しうる窓Ｗが形成されている。
【００３５】
枠部材１１を前面板３に取付けるには、図４に示すように、枠部材１１全体を斜めにして、その外向片１９側を、前面板３の取付孔５に前方より挿入し、把手本体１８の左方の側片１２の前端部に形成された係合溝２２を、取付孔５における左側の側縁部に係合させる。
【００３６】
ついで、枠部材１１の右方部分を後向きに回動させ、把手本体１８の右端部側を、前面板３の取付孔５内に、右側部の枠状縁片２１の後面が取付孔５の側縁部の前面と当接するまで嵌合する。すると、右側の側片１３の外面に設けた弾性係合片２３が、取付孔５の右方の開口縁に当接して、左方に弾性変形させられ、かつ弾性係合片２３の前端が、開口縁を乗り越えて右方に弾性復元することにより、取付孔５の右方の側縁部が係合溝２４と係合して、枠部材１１が前方に抜け外れるのが防止される。
【００３７】
図５の後面図にも示すように、枠部材１１における外向片１９の上端部の後面には、ラッチ２８が、垂直軸２９まわりに回動しうるように、かつ捩りばね３０により、常時外側方に付勢して取付けられている。このラッチ２８は、扉２の開閉時において、縦仕切材３１の側面に形成された係合孔３２と自動的に係脱しうるようになっている。
【００３８】
外向片１９の上下方向の中央部には、シリンダ錠３３が、次のようにして取付けられている。
図５の後面図及び図６の拡大横断平面図に示すように、前面板３と枠部材１１の外向片１９との間には、錠取付金具３４が挟入されている。この錠取付金具３４は、平面視前向コ字状断面をなす基板３５と、その外方の側片３５aの前端に連設された外向片３６と、この外向片３６の側端より後向きに延出する後向片３７とからなっている。
【００３９】
後向片３７の前後寸法は、前面板３と内向片９との間の空間部Ｓ内にがたなく嵌合しうるように、それらの対向面間の寸法とほぼ等しい寸法としてある。
また、外向片３６の左右寸法は、これを空間部Ｓ内に挿入した際、側片３５aと後向片３７の外側面(図６の右側面)が、それぞれ、前面板３における前向片１０と後向片８の内側面(図６の左側面)に当接しうる寸法とされている。
【００４０】
図７の断面図にも示すように、外向片１９と、基板３５における後片３５bの上下方向の中央部とには、それぞれ、シリンダ錠３３の錠本体３３aが後方より挿入可能な大きさの外側方に開口する切欠き３８と、内側方に開口する切欠き３９とが形成されている。
外向片１９側の切欠き３８の上下の端縁には、錠取付金具３４の上下方向への移動を規制する上下１対の位置決め片４０、４０が、前向きに突設されている。
【００４１】
シリンダ錠３３を取付けるには、枠部材１１を前面板３に装着する前において、まず錠取付金具３４における外向片３６と前向片３７を、前面板３の側端部に折曲して形成された、後向片８と内向片９と前向片１０との間の空間部Ｓ内に、錠取付金具３４全体を斜め前後方向に傾斜させて挿入する(図６参照)。
【００４２】
ついで、錠取付金具３４の切欠き３９に、上述した要領で前面板３の取付孔５に装着した枠部材１１における外向片１９の上下の位置決め片４０、４０を、後方より嵌合し、錠取付金具３４が上下方向に移動するのを規制する(図７参照)。
【００４３】
ついで、シリンダ錠３３の錠本体３３aを、外向片１９と錠取付金具３４の切欠き３８、３９に後方より挿入し、キー差込み部３３bを前面板３に穿設した通孔４１より前方に突出させたのち、錠本体３３aの後端面に固着された、側面視ハット形断面をなす固定金具４２の上下の固定片４２a、４２aを、外向片１９の後面に当接させる。この際、両固定片４２aを、外向片１９の後面に突設した上下１対の後向き突片４３、４３間に位置させることにより、シリンダ錠３３を上下方向に位置決めすることができる。
【００４４】
ついで、図７に示すように、固定金具４２の上下の固定片４２aと外向片１９とに穿設した取付孔４４、４４に、後方より止めねじ４５、４５を挿入し、これらを、錠取付金具３４の基板３５に穿設した上下のめねじ孔４６、４６に螺合して締め付ける。
これにより、扉２のシリンダ錠３３の取付部付近と、枠部材１１の把手本体１８に連設された外向片１９におけるシリンダ錠３３の取付部とが、錠取付金具３４により補強され、シリンダ錠３３が枠部材１１の外向片１９に強固に取付けられる。
【００４５】
錠本体３３aの後面にねじ止めされた、キーの操作により回動させられる鉤状の施解錠レバー４７は、収納室１における左側の縦仕切材３１の内側面に設けた施解錠孔(図示略)と係脱しうるようになっている。
【００４６】
図５の後面図及び図８、図９の拡大断面図に示すように、上述した後面板４の右側部(正面視では左側部)には、枠部材１１における外向片１９の後面を露出させうるとともに、把手本体１８の後方への突出部と干渉しない大きさの、外側方が開放されたコ字状の開口４８が形成されている。
【００４７】
また、後面板４の上下の端縁(下方は図示略)には、図８に示すように、前面板３の上下の端縁に形成された前向片１０、１０の対向面間に嵌合可能な前向片４９が折曲形成されている。なお、前向片４９の前後寸法は、前面板３の後向片８のそれよりも若干短寸としてある。
【００４８】
図９に示すように、後面板４の左端縁(正面視では右端縁)における上下の端部を除いた部分には、上記前向片４９と等しい前後寸法の前向片５０と、その前端より外側方に延出する外向片５１と、この外向片５１の側端より後向きに延出する後向片５２とが折曲形成されている。後向片５２の前後寸法は、前面板３と内向片９との間の空間部Ｓ内にがたなく嵌合しうるように、それらの対向面間の寸法とほぼ等しい寸法としてある。
また、外向片５１の左右寸法は、これを空間部Ｓ内に挿入した際、前向片５０と後向片５２の外側面(図９の左側面)が、それぞれ、前面板３における前向片１０と後向片８の内側面(図９の右側面)に当接しうる寸法とされている。
【００４９】
後面板４を前面板３に取付けるには、後面板４全体を斜め前後方向に傾斜させて、その外向片５１と後向片５２を、前面板３の側端部における後向片８と内向片９と前向片１０との間の空間部Ｓ内に挿入する(図９参照)。
【００５０】
ついで、図５に示すように、枠部材１１の外向片１９の後面の上下両端部に、後面板４の開口４８における外側端部の対向縁に突設された上下の突片５３、５３を、止めねじ５４、５４により固定することにより、後面板４は、前面板３の後面に、互いの対向面同士が離間するようにして取付けられている。
【００５１】
図２及び図５の後面図に示すように、上下方向に並ぶ各扉２の右側端上部(図５においては左側端上部)の隅部には、ヒンジ５５が、次のようにして取付けられている。
図１０の後方斜視図に示すように、ヒンジ５５は、金属製の基材５６と、それと一体をなす上向きのヒンジピン５７とからなっている。
【００５２】
基材５６は、上下方向を向く側片５６aと、その前縁に内向き折曲された前片５６bと、同じく側片の後縁に内向き折曲された、前片５６bの左右寸法よりも若干長寸の後片５６cとを有し、平面形は、前面板３の上端部と側端部の空間部Ｓ内にがたなく挿入可能な概ね内向きコ字状をなしている。
後片５６cは、上端部に内向突片５６dを連設することにより、後面形が倒立Ｌ字状をなしている。後片５６cの下端部の端縁部には、外側方に凹入する内向きコ字状の切欠溝５８が形成されている。
【００５３】
上記ヒンジピン５７は、側片５６aと前片５６bとの連設隅部の上面に突設されている。
後片５６cの上下方向の中間部と内向突片５６dの内側端部には、めねじ孔５９、５９が穿設されている。
【００５４】
図１０の後面視において、前面板３の左側端上部の隅部における上部と側部の前向片１０、１０は、所要長さに切り欠いてあり、両切欠部６０、６０より、ヒンジ５５を空間部Ｓ内に挿入しうるようになっている。
前面板３の上部の後向片８の側端部には、ヒンジピン５７の挿通孔６１が穿設されている。
【００５５】
ヒンジ５５を空間部Ｓ内に挿入した際、基材５６の後片５６cの下端が、側部の切欠部６０における前向片１０の上端のストッパ面６２に当接して、ヒンジ５５が下方に落下するのが防止されるようになっている。なお、ヒンジ５５が前向片１０のストッパ面６２と当接する位置まで下方に移動した際でも、ヒンジピン５７が挿通孔６１より抜け外れないようにしてある。
【００５６】
ヒンジ５５を取付けるには、基材５６の上端と側片５６aの外側面が、それぞれ上部の後向片８の下面と側部の後向片８の内面に当接するまで、ヒンジ５５を前面板３の上端隅部の空間部Ｓ内に挿入し、かつヒンジピン５７を挿通孔６１より上方に突出させたのち、前面板３の隅部における上部と側部の内向片９に穿設した取付孔６３、６３に、低頭ねじ６４、６４を挿入し、両低頭ねじ６４を、後片５６cと内向突片５６dのめねじ孔５９、５９に螺合して締め付けると、ヒンジ５５は、前面板３の上端隅部の空間部Ｓ内に固定される(図５参照)。
【００５７】
ヒンジ５５の取付作業は、後面板４を装着する前に行われるが、図８及び図９に示すように、後面板４は、その後面が、内向片９の後面よりも若干前方に位置するように装着されるので、図５に示すように、基材５６の後片５６cの内方の端縁が、後面板４の後面よりも後方に位置し、内側方に露出するようになる。従って、前面板３の空間部Ｓ内に収容した、固定前のヒンジ５５を、その切欠溝５８に内側方より挿入した工具等により、後面板４を装着したままの状態で、上下に移動させることができる。
【００５８】
図１０に示すように、前面板３の左側端下部(正面視においては右側端下部)の隅部における空間部Ｓ内には、平面視内向きコ字状をなす金属製の補強部材６５が、次のようにして取付けられている。
前面板３の右側端下部の隅部における下部と側部の前向片１０、１０に形成された切欠部６６、６６より、補強部材６５を、前面板３の右側端下部の隅部における空間部Ｓ内に挿入したのち、前面板３の隅部における下部と側部の内向片９と、補強部材６５の後面視Ｌ字状をなす後片６５aの下端部とに穿設した２個ずつの取付孔６７、６７に、リベット６８、６８を挿通し、両リベット６８をかしめることにより、補強部材６５は、前面板３の左側端下部の隅部における空間部Ｓ内に固定されている(図５参照)。
【００５９】
図２に示すように、最上位の扉２の右側端上部は、その部分に取付けたヒンジ５５におけるヒンジピン５７の上端部を、横材６９の下面の枢支孔(図示略)に嵌合することにより、回動自在に枢支されている。
また、最上位の扉２の右側端下部は、図１１の拡大縦断面図に示すように、下位の扉２のヒンジ５５により、回動自在に枢支されている。すなわち、上下の扉２の対向面間において、縦仕切材３１の前面に取付けられた扉支持具７０により、上位の扉２の右側端下面を支持し、下位の扉２におけるヒンジ５５のヒンジピン５７を、扉支持具７０を貫通して、上位の扉２の前面板３における下側の後向片８に穿設した枢支孔７１に挿通することにより、上位の扉２の右側端下部が、下位の扉２のヒンジ５５により回動自在に枢支されている。
【００６０】
このように、上位の扉２の右側端下部を、下位の扉２の右側端上部に設けたヒンジ５５により枢支することにより、上下方向に並ぶ各扉２の右側端部が回動可能に枢支されている。なお、扉２を円滑に開閉しうるように、扉支持具７０の上面と当接する上位の扉２における後向片８の下面に、摩擦抵抗の小さな合成樹脂製のスペーサ７２を取付けてある。
【００６１】
以上説明したように、上記実施形態のヒンジ取付構造においては、扉２の前面板３の周縁に、後向片８と内向片９と前向片１０を折曲形成し、それらにより形成される右側端上部の隅部の空間部Ｓ内に、ヒンジ５５を嵌合し、基材５６を、上部の左右方向を向く内向片９と、側部の上下方向を向く内向片９とに、低頭ねじ６４により固定しているので、隅部における上部と側部の内向片９、９が前後二重構造となり、扉２におけるヒンジ５５の取付部が、基材５６により補強される。
【００６２】
また、扉２の右側端下部の隅部も、その部分の空間部Ｓ内に嵌合した補強部材６５の後片６５aを、下部の左右方向を向く内向片９と、側部の上下方向を向く内向片９とに、リベット６８により固定し、上部と側部の内向片９、９を前後二重構造としているので、下位の扉２に設けたヒンジ５５の枢支部である右側端下部の隅部が、補強部材６５により補強される。
【００６３】
従って、片持ち支持されている扉２の上部のヒンジ取付部や、下部の枢支部に偏荷重が加わっても、それらの部分が変形する恐れはなく、扉２を円滑に開閉することができる。
【００６４】
また、ヒンジ５５は、概ね平面視内向きコ字状の基材５６の隅部上端に、ヒンジピン５７を一体的に突設しただけの簡単な構造のものであり、かつ溶接によることなく、ねじ６４のみにより固定しているので、取付けが極めて容易であるとともに、体裁の悪い溶接痕等が形成されることもない。
【００６５】
さらに、上下に隣接する扉２のヒンジ５５を、ねじ６４を取外して下方に移動するだけで、上下方向に並ぶ扉２の任意のものを１枚単位で取り外すことができるとともに、ヒンジ５５を上方に移動させてねじ止めすれば、再度取付けることができるので、扉２の着脱作業が容易である。
この際、ねじ６４を取外しても、ヒンジ５５は、側部における内向片１０の切欠部６０のストッパ面６２と当接し、下方に落下するのが防止されるので、作業性がよい。しかも、上述したように、後面板４を装着したままで、ヒンジ５５を上下に操作することができる。
【００６６】
本発明は、上記実施形態に限定されるものではない。
上記実施形態においては、ヒンジ５５のヒンジピン５７を上下方向を向くようにし、扉２が左右方向に開閉するものに適用した例であるが、左右方向を向く基材５６の側端に、ヒンジピン５７を、左右方向を向くように突出すれば、本発明を、扉が上下方向に開閉するものにも適用することができる。
【００６７】
また、上記実施形態では、扉２の上部側にヒンジ５５を設け、下部の後向片８に枢支孔７１を設けているが、それらを上下反対として設けてもよい。
【００６８】
上記実施形態は、本発明を、シューズロッカーにおける上下複数に並ぶ扉２に適用した例を説明したが、例えばキャビネット等、単一の扉に適用する際には、扉２の右側端下部に設けた補強部材６５に代えて、上記ヒンジ５５と上下対称形をなすヒンジを取付ければよい。
【００６９】
上記実施形態では、扉２の前面板３が前向片１０を有するものとし、その隅部に切欠部６０を設けて、ヒンジ５５を、内側方より空間部Ｓ内に挿入しうるようにしているが、前向片１０を省略して、ヒンジ５５を内側方より自由に挿入しうるようにしてもよい。この際、ヒンジ５５が下方に落下しないように、内向片９におけるヒンジ５５よりも下方の前面または内側縁等に、ストッパ片を突設すればよい。
【００７０】
低頭ねじ６４が挿通する取付孔６３、６３を、上下方向を向く長孔としてもよく、このようにすれば、扉２を着脱する際に、ねじ６４を取外す必要はなく、単に緩めるだけで、ヒンジ５５を上下に移動することができるとともに、その落下を防止するストッパ等も省略することができる。
【図面の簡単な説明】
【００７１】
【図１】本発明の一実施形態を備えるシューズロッカーの正面図である。
【図２】同じく、一部の拡大正面図である。
【図３】図２のIII-III線拡大横断平面図である。
【図４】扉への枠部材の取付要領を示す拡大横断平面図である。
【図５】扉の拡大後面図である。
【図６】図５のVI-VI線拡大横断平面図である。
【図７】同じく、VII-VII線拡大縦断側図である。
【図８】同じく、VIII-VIII線拡大縦断側面図である。
【図９】同じく、IX-IX線拡大横断平面図である。
【図１０】扉の右側端部の後方斜視図である。
【図１１】図２のXI-XI線拡大縦断側面図である。
【符号の説明】
【００７２】
１    収納室
２    扉
３    前面板
４    後面板
５    取付孔
６    鉤形フランジ
７    緩衝材
８    後向片
９    内向片
１０  前向片
１１  枠部材
１２  側片
１２a 内向折曲部
１３  側片
１４  上片
１５  底片
１６  後片
１７  凹入部
１８  把手本体
１９  外向片
２０  手掛け部
２１  枠状縁片
２２  係合溝
２３  弾性係合片
２４  係合溝
２５  換気孔
２６  窓孔
２７  透明板
２８  ラッチ
２９  垂直軸
３０  捩りばね
３１  縦仕切材
３２  係合孔
３３  シリンダ錠
３３a 錠本体
３３b キー差込み部
３４  錠取付金具
３５  基板
３５a 側片
３５b 後片
３６  外向片
３７  後向片
３８  切欠き
３９  切欠き
４０  位置決め片
４１  通孔
４２  固定金具
４２a 固定片
４３  後向き突片
４４  取付孔
４５  止めねじ
４６  めねじ孔
４７  施解錠レバー
４８  開口
４９  前向片
５０  前向片
５１  外向片
５２  後向片
５３  突片
５４  止めねじ
５５  ヒンジ
５６  基材
５６a 側片
５６b 前片
５６c 後片
５６d 内向突片
５７  ヒンジピン
５８  切欠溝
５９  めねじ孔
６０  切欠部
６１  挿通孔
６２  ストッパ面
６３  取付孔
６４  低頭ねじ
６５  補強部材
６５a 後片
６６  切欠部
６７  取付孔
６８  リベット
６９  横材
７０  扉支持具
７１  枢支孔
７２  スペーサ
Ｓ    空間部
Ｗ    窓
【図１】
2009263927.tif 000003
【図２】
2009263927.tif 000004
【図３】
2009263927.tif 000005
【図４】
2009263927.tif 000006
【図５】
2009263927.tif 000007
【図６】
2009263927.tif 000008
【図７】
2009263927.tif 000009
【図８】
2009263927.tif 000010
【図９】
2009263927.tif 000011
【図１０】
2009263927.tif 000012
【図１１】
2009263927.tif 000013